【手続補正書】
【提出日】平成29年8月10日(2017.8.10)
【手続補正１】
【補正対象書類名】特許請求の範囲
【補正対象項目名】全文
【補正方法】変更
【補正の内容】
【特許請求の範囲】
【請求項１】
カラービデオ処理方法であって、
−  フレームのシーケンスの各フレーム内の背景からオブジェクトを画定することと、
−  少なくとも２つの連続するフレームを選択することと、
−  前記選択されたフレームの前記背景からグローバルカラーテンプレートを決定することと、
−  各選択されたフレームに対して、および前記画定されたオブジェクトの色に対して、前記グローバルカラーテンプレートに従って調和された色を、前記調和された色がその元の色より前記グローバルカラーテンプレートに近くなるように決定することと、
を含む、前記カラービデオ処理方法。
【請求項２】
前記画定されたオブジェクトの前記色を、対応する前記調和された色に従って変更することをさらに含む、請求項１に記載のカラービデオ処理方法。
【請求項３】
前記オブジェクトを画定することは、前記オブジェクトを取り囲むウィンドウを定義することを含む、請求項１または２に記載のカラービデオ処理方法。
【請求項４】
各フレーム内の背景からオブジェクトを画定することは、
−  その第１に続くシーケンスの各フレームに対して、その先行するフレームから前記オブジェクトを追従し、前記追従されたオブジェクトを画定することを含む、請求項１乃至３のいずれか一項に記載のカラービデオ処理方法。
【請求項５】
前記シーケンスの各フレームに対して、
−  前記フレームの各画素を顕著性値に関連付けることと、
−  前記顕著性値から、前記画定されたオブジェクトの誘引度を求めることと、
−  前記画定されたオブジェクトの前記誘引度が、前記画定されたオブジェクトが調和していることを示す条件を満たすかどうかを判定することであって、以下では前記条件は「調和条件」と呼ばれる、ことと、
−  前記画定されたオブジェクトの前記誘引度が前記調和条件を満たさない場合、前記背景からフレームカラーテンプレートを決定することであって、以下では前記フレームは「非調和フレーム」と呼ばれ、各選択されたフレームは非調和フレームであり、前記グローバルカラーテンプレートは前記選択されたフレームの前記カラーテンプレートから決定される、ことと
を含む、請求項１乃至４のいずれか一項に記載のカラービデオ処理方法。
【請求項６】
前記誘引度は、前記画定されたオブジェクトの前記画素の前記顕著性値の平均値および偏差値を含む、請求項５に記載のカラービデオ処理方法。
【請求項７】
前記調和条件は、前記平均値が所定の平均値閾値より小さいことおよび前記偏差値が所定の偏差値閾値より小さいことを含む、請求項６に記載のカラービデオ処理方法。
【請求項８】
少なくとも２つの連続的なフレームを選択することは、
−  連続する非調和フレームの数が、少なくとも２に等しい所定の閾値以上であるかどうかを判定することと、
−  そうである場合は、前記連続する非調和フレームを選択することと、
を含む、請求項５乃至７のいずれか一項に記載のカラービデオ処理方法。
【請求項９】
フレームの前記背景からフレームカラーテンプレートを決定することは、
−  所定のカラーテンプレートの中から１つを選択することであって、各所定のカラーテンプレートは、循環する色シーケンスにおける少なくとも１つの色範囲を示す、ことと、
−  フレームテンプレートシフトを決定することと、
−  前記フレームカラーテンプレートを取得するために、前記選択された所定のカラーテンプレートの各色範囲に前記フレームテンプレートシフトを適用することと、
を含む、請求項５乃至８のいずれか一項に記載のカラービデオ処理方法。
【請求項１０】
前記グローバルカラーテンプレートを決定することは、
−  所定のカラーテンプレートの中から１つを選択することであって、各所定のカラーテンプレートは循環する色シーケンスにおける少なくとも１つの色範囲を示す、ことと、
−  グローバルテンプレートシフトを決定することと、
−  前記グローバルカラーテンプレートを取得するために、前記選択された所定のカラーテンプレートの各色範囲に前記グローバルテンプレートシフトを適用することと、
を含む、請求項１乃至９のいずれか一項に記載のカラービデオ処理方法。
【請求項１１】
前記選択されたフレームの前記フレームカラーテンプレートから前記グローバルカラーテンプレートを決定することは、
−  選択されたフレームの所定のカラーテンプレートを選択することと、
−  前記選択されたフレームの前記フレームテンプレートシフトから、前記グローバルテンプレートシフトを決定することと、
を含む、請求項１０に記載のカラービデオ処理方法。
【請求項１２】
前記グローバルテンプレートシフトは、前記フレームテンプレートシフトの平均値である、請求項１１に記載のカラービデオ処理方法。
【請求項１３】
所定のカラーテンプレートを選択することは、
−  前記選択されたフレームの前記フレームカラーテンプレートを取得するために最も用いられる前記所定のカラーテンプレートを選択することを含む、請求項１１または１２に記載のカラービデオ処理方法。
【請求項１４】
コンピュータによって実行されたときに、請求項１乃至１３のいずれか一項に記載のカラービデオ処理方法を前記コンピュータに行わせる命令を含む、コンピュータプログラム。
【請求項１５】
カラービデオ処理システムであって、
−  フレームのシーケンスの各フレーム内の背景からオブジェクトを画定するように構成された構成要素と、
−  少なくとも２つの連続するフレームを選択するように構成された構成要素と、
−  前記選択されたフレームの前記背景からグローバルカラーテンプレートを決定するように構成された構成要素と、
−  各選択されたフレームに対して、および前記画定されたオブジェクトの色に対して、前記グローバルカラーテンプレートに従って調和された色を、前記調和された色がその元の色より前記グローバルカラーテンプレートに近くなるように決定するように構成された構成要素と、
を備える、前記カラービデオ処理システム。
【請求項１６】
前記画定されたオブジェクトの前記色を、対応する前記調和された色に従って変更するように構成された構成要素をさらに備える、請求項１５に記載のカラービデオ処理システム。
【手続補正２】
【補正対象書類名】明細書
【補正対象項目名】００９７
【補正方法】変更
【補正の内容】
【００９７】
加えて、添付の特許請求の範囲で用いられる用語は、前述の実施形態の要素に制限されると理解されるべきではなく、これに反して、当業者が彼等の一般的な知識を用いて導き出すことができるすべての等価な要素を含むものと理解されるべきである。
［付記１］
カラービデオ処理方法（２００）であって、
−  フレームのシーケンスの各フレーム内の背景からオブジェクトを画定するステップ（２０２）と、
−  少なくとも２つの連続するフレームを選択するステップ（２１４）と、
−  前記選択されたフレームの前記背景からグローバルカラーテンプレートを決定するステップ（２１６）と、
−  各選択されたフレームに対して、および前記画定されたオブジェクトの色に対して、前記グローバルカラーテンプレートに従って調和された色を、前記調和された色がその元の色より前記グローバルカラーテンプレートに近くなるように決定するステップ（２１８）と、
を含む、前記カラービデオ処理方法。
［付記２］
前記画定されたオブジェクトの前記色を、前記対応する調和された色に従って変更するステップをさらに含む、付記１に記載のカラービデオ処理方法（２００）。
［付記３］
前記オブジェクトを画定するステップ（２０２）は、前記オブジェクトを取り囲むウィンドウを定義するステップを含む、付記１または２に記載のカラービデオ処理方法（２００）。
［付記４］
各フレーム内の背景からオブジェクトを画定するステップ（２０２）は、
−  その第１に続くシーケンスの各フレームに対して、その先行するフレームから前記オブジェクトを追従し、前記追従されたオブジェクトを画定するステップを含む、付記１乃至３のいずれか一項に記載のカラービデオ処理方法（２００）。
［付記５］
前記シーケンスの各フレームに対して、
−  前記フレームの各画素を顕著性値に関連付けるステップ（２０４）と、
−  前記顕著性値から、前記画定されたオブジェクトの誘引度を求めるステップ（２０６）と、
−  前記画定されたオブジェクトの前記誘引度が、前記画定されたオブジェクトが調和していることを示す条件を満たすかどうかを判定するステップ（２０８）であって、以下では前記条件は「調和条件」と呼ばれる、ステップと、
−  前記画定されたオブジェクトの前記誘引度が前記調和条件を満たさない場合、前記背景からフレームカラーテンプレートを決定するステップ（２１０）であって、以下では前記フレームは「非調和フレーム」と呼ばれ、各選択されたフレームは非調和フレームであり、前記グローバルカラーテンプレートは前記選択されたフレームの前記カラーテンプレートから決定される、ステップと
を含む、付記１乃至４のいずれか一項に記載のカラービデオ処理方法（２００）。
［付記６］
前記誘引度は、前記画定されたオブジェクトの前記画素の前記顕著性値の平均値および偏差値を含む、付記５に記載のカラービデオ処理方法（２００）。
［付記７］
前記調和条件は、前記平均値が所定の平均値閾値より小さいことおよび前記偏差値が所定の偏差値閾値より小さいことを含む、付記６に記載のカラービデオ処理方法（２００）。
［付記８］
少なくとも２つの連続的なフレームを選択するステップは、
−  連続する非調和フレームの数が、少なくとも２に等しい所定の閾値以上であるかどうかを判定するステップと、−  そうである場合は、前記連続する非調和フレームを選択するステップと、
を含む、付記５乃至７のいずれか一項に記載のカラービデオ処理方法（２００）。
［付記９］
フレームの前記背景からフレームカラーテンプレートを決定するステップ（２１０）は、
−  所定のカラーテンプレートの中から１つを選択するステップであって、各所定のカラーテンプレートは、循環する色シーケンスにおける少なくとも１つの色範囲を示す、ステップと、
−  フレームテンプレートシフトを決定するステップと、
−  前記フレームカラーテンプレートを取得するために、前記選択された所定のカラーテンプレートの各色範囲に前記フレームテンプレートシフトを適用するステップと、
を含む、付記５乃至８のいずれか一項に記載のカラービデオ処理方法（２００）。
［付記１０］
前記グローバルカラーテンプレートを決定するステップ（２１６）は、
−  所定のカラーテンプレートの中から１つを選択するステップであって、各所定のカラーテンプレートは循環する色シーケンスにおける少なくとも１つの色範囲を示す、ステップと、
−  グローバルテンプレートシフトを決定するステップと、
−  前記グローバルカラーテンプレートを取得するために、前記選択された所定のカラーテンプレートの各色範囲に前記グローバルテンプレートシフトを適用するステップと、
を含む、付記１乃至９のいずれか一項に記載のカラービデオ処理方法（２００）。
［付記１１］
前記選択されたフレームの前記フレームカラーテンプレートから前記グローバルカラーテンプレートを決定するステップは、
−  選択されたフレームの所定のカラーテンプレートを選択するステップと、
−  前記選択されたフレームの前記フレームテンプレートシフトから、前記グローバルテンプレートシフトを決定するステップと、
を含む、付記９または１０に記載のカラービデオ処理方法（２００）。
［付記１２］
前記グローバルテンプレートシフトは、前記フレームテンプレートシフトの平均値である、付記１１に記載のカラービデオ処理方法（２００）。
［付記１３］
所定のカラーテンプレートを選択するステップは、
−  前記選択されたフレームの前記フレームカラーテンプレートを取得するために最も用いられる前記所定のカラーテンプレートを選択するステップを含む、付記１１または１２に記載のカラービデオ処理方法（２００）。
［付記１４］
コンピュータによって実行されたときに、付記１乃至１３のいずれか一項に記載のカラービデオ処理方法（２００）を前記コンピュータに行わせる命令を含む、コンピュータプログラム（１１０）。
［付記１５］
カラービデオ処理システム（１００）であって、
−  フレームのシーケンスの各フレーム内の背景からオブジェクトを画定するように構成された構成要素と、
−  少なくとも２つの連続するフレームを選択するように構成された構成要素と、
−  前記選択されたフレームの前記背景からグローバルカラーテンプレートを決定するように構成された構成要素と、
−  各選択されたフレームに対して、および前記画定されたオブジェクトの色に対して、前記グローバルカラーテンプレートに従って調和された色を、前記調和された色がその元の色より前記グローバルカラーテンプレートに近くなるように決定するように構成された構成要素と、
を備える、前記カラービデオ処理システム。
［付記１６］
前記対応する調和された色に従って、前記画定されたオブジェクトの前記色を変更するように構成された構成要素をさらに備える、付記１５に記載のカラービデオ処理システム。